(57)【要約】【課題】厨房等で調理の際に発生する油煙や水蒸気等の除去に使用される空気処理装置において、電気集塵装置のメンテナンス頻度を少なくできる空気処理装置を提供することを目的とする。【解決手段】空気処理装置の本体内に、電界の発生が可能な集塵手段５を備え、イオン発生手段８によりイオンを含ませた空気を加熱調理器具側へ吹き出させる事で、空気処理装置の外側で調理により発生した油煙等の粒子をイオンと接触させることで帯電させるため、空気処理装置を小型にできるという効果を得る事ができる。また、イオン発生手段８を通る空気は、集塵手段５や脱臭手段６により汚れた空気を浄化した空気であるため、イオン発生手段８への汚れの付着が少なくなり、洗浄を行うメンテナンスの頻度を少なくできる空気処理装置を得られる。【選択図】図４
2014024017.tif 000002
【特許請求の範囲】
【請求項１】
吸い込み口と吹き出し口を有する本体内に、送風手段と、高電圧を印加する荷電極板と、それと対向してアースに接続した接地極板とが一定の距離をおいて交互に複数配置され電界の発生が可能な集塵手段と、脱臭手段と、イオン発生手段とを備え、前記送風手段によって前記吸い込み口から吸い込んだ加熱調理器具で発生した汚れた空気を前記集塵手段と前記脱臭手段により浄化して前記吹き出し口から室内に吹き出す空気処理装置であって、前記集塵手段と前記脱臭手段と前記送風手段とを前記吸い込み口と前記吹き出し口を連通する送風経路に設け、前記イオン発生手段を前記送風経路内で前記集塵手段と前記脱臭手段と前記送風手段より下流側に設け、前記イオン発生手段で発生させたイオンを含んだ空気を前記吹き出し口から前記加熱調理器具側へ吹き出すことを特徴とした空気処理装置。
【請求項２】
吹き出し口を、吸い込み口の外側に設けたことを特徴とした請求項１記載の空気処理装置。
【請求項３】
吹き出し口からイオン発生手段によって発生したイオンを含む空気と含まない空気を吹き出し、イオンを含む空気を吸い込み口側から吹き出すことを特徴とする請求項２記載の空気処理装置。
【請求項４】
空気処理装置の上部からイオン発生手段によって発生したイオンを含まない空気を室内に吹き出すことを特徴とする請求項１〜３のいずれか一項に記載の空気処理装置。
【請求項５】
イオン発生手段は、放電電極と対向電極に高電圧を印加してコロナ放電を発生させるものであって、前記放電電極は針状電極であり、前記対向電極は平板状で、前記放電電極の略垂直方向に離間配置され、前記放電電極は前記対向電極の平板状の平面をこの平面の側面視で貫通し、その先端を突出させ、前記放電電極の先端が突出した側の、前記対向電極の表面が、半導電性を有することを特徴とした請求項１〜４のいずれか一項に記載の空気処理装置。
【請求項６】
イオン発生手段の上流側に空気中の浮遊物質を除去するフィルタを備えたことを特徴とした請求項５記載の空気処理装置。
【請求項７】
イオン発生手段によって発生したイオンを含む空気の一部を、空気処置装置内の集塵手段の上流側に放出するようにしたことを特徴とする請求項１〜６のいずれか一項に記載の空気処理装置。
【発明の詳細な説明】
【技術分野】
【０００１】
本発明は厨房等で調理の際に発生する油煙や水蒸気等を除去する空気処理装置に関するものである。
【背景技術】
【０００２】
近年、電磁加熱調理器具（以下、ＩＨ調理器）が普及してきている。ＩＨ調理器は、炎を使用せずに、加熱調理が出来るため、安全性が高まるとともに、従来はガスを燃やす際に発生していた、二酸化炭素や一酸化炭素などの有害物質の発生もなくなる。このため、ＩＨ調理器を用いて調理を行った場合は、発生した汚れた空気を、必ずしも屋外へ排出する必要がない。調理と共に発生する油煙や臭いを除去すれば、室内へ戻すことが可能となる。このように屋外へ排気せずに、室内で循環させることで、室内の空調負荷が低減されるなどの効果が出る。
【０００３】
この種の空気処理装置として、油煙を除去するために、電気集塵装置を用いたものが知られている（例えば特許文献１参照）。
【０００４】
その構成は、ＩＨ調理器を用いた調理により発生した汚れた空気を吸い込む吸い込み口と風路があり、風路にはプレフィルタや集塵手段、脱臭手段、送風手段を配置し、汚れた空気を処理した後に、再び室内へ戻す吹き出し口とを備えている。集塵手段として、電気集塵装置を用いており、コロナ放電を発生させ、油煙等の粒子を帯電させる帯電部と、帯電させた粒子を電界によって受けるクーロン力によって捕集する集塵部とから構成されている。
【先行技術文献】
【特許文献】
【０００５】
【特許文献１】特開２００８−５５４０４号公報
【発明の概要】
【発明が解決しようとする課題】
【０００６】
このような従来の空気処理装置は、帯電部が電界集中を起こす放電極と対向電極とから構成されており、放電極に汚れが付着すると、放電極先端の電界集中を弱め、粒子の帯電性能が落ち、結果的に油煙等の除去性能が低下していた。このため、電気集塵装置を洗浄し、付着した汚れを除去するメンテンナンス頻度が多いという課題があった。
【０００７】
そこで本発明は、上記従来の課題を解決するものであり、電気集塵装置のメンテナンス頻度を少なくできる空気処理装置を提供することを目的とする。
【課題を解決するための手段】
【０００８】
そして、この目的を達成するために、本発明は、吸い込み口と吹き出し口を有する本体内に、送風手段と、高電圧を印加する荷電極板と、それと対向してアースに接続した接地極板とが一定の距離をおいて交互に複数配置され電界の発生が可能な集塵手段と、脱臭手段と、イオン発生手段とを備え、前記送風手段によって前記吸い込み口から吸い込んだ加熱調理器具で発生した汚れた空気を前記集塵手段と前記脱臭手段により浄化して前記吹き出し口から室内に吹き出す空気処理装置であって、前記集塵手段と前記脱臭手段と前記送風手段とを前記吸い込み口と前記吹き出し口を連通する送風経路に設け、前記イオン発生手段を前記送風経路内で前記集塵手段と前記脱臭手段と前記送風手段より下流側に設け、前記イオン発生手段で発生させたイオンを含んだ空気を前記吹き出し口から前記加熱調理器具側へ吹き出すこととしたものであり、これにより初期の目的を達成するものである。
【発明の効果】
【０００９】
本発明によれば、イオン発生手段を通る空気は、集塵手段や脱臭手段により汚れた空気を浄化した空気であるため、イオン発生手段への汚れの付着が少なくなり、洗浄を行うメンテナンスの頻度を少なくできるという効果を得ることができる。
【００１０】
また、空気処理装置の本体内に、電界の発生が可能な集塵手段を備え、イオン発生手段によりイオンを含ませた空気を加熱調理器具側へ吹き出させる事で、調理により発生した油煙等の粒子をイオンと接触させることでＩＨ調理器の上部空間で帯電させることができ、またイオンを含んだ空気と調理により発生した汚れた空気が吸い込み口から装置本体内に流入する際に、乱流となることで、イオンと油煙等の汚れた空気との接触確率が高まり、確実に帯電させることができる。
【００１１】
さらに、この帯電した油煙等が装置本体内の電界の発生が可能な集塵手段を通過する際に、帯電粒子がクーロン力を受け捕集することができる。そのため、従来の電気集塵装置のような、コロナ放電を発生させ、粒子を帯電させる帯電部を装置本体内に設ける必要がなく、装置を小型にできるという効果を得る事ができる。
【図面の簡単な説明】
【００１２】
【図１】本発明の実施の形態１の空気処理装置を示す斜視図
【図２】同正面断面を示す構成図
【図３】同側面断面を示す構成図
【図４】同帯電模式図
【図５】同イオン発生手段の分解図
【図６】同イオン発生手段の斜視図
【図７】同集塵手段の斜視図
【図８】本発明の実施の形態２の空気処理装置を示す正面断面を示す構成図
【発明を実施するための形態】
【００１３】
本発明の請求項１記載の空気処理装置は、吸い込み口と吹き出し口を有する本体内に、
送風手段と、高電圧を印加する荷電極板と、それと対向してアースに接続した接地極板とが一定の距離をおいて交互に複数配置され電界の発生が可能な集塵手段と、脱臭手段と、イオン発生手段とを備え、前記送風手段によって前記吸い込み口から吸い込んだ加熱調理器具で発生した汚れた空気を前記集塵手段と前記脱臭手段により浄化して前記吹き出し口から室内に吹き出す空気処理装置であって、前記集塵手段と前記脱臭手段と前記送風手段とを前記吸い込み口と前記吹き出し口を連通する送風経路に設け、前記イオン発生手段を前記送風経路内で前記集塵手段と前記脱臭手段と前記送風手段より下流側に設け、前記イオン発生手段で発生させたイオンを含んだ空気を前記吹き出し口から前記加熱調理器具側へ吹き出すという構成を有する。
【００１４】
これにより、調理により発生した油煙等の粒子を加熱調理器具の上部空間でイオンと接触させることで帯電させることができ、またイオンを含んだ空気と調理により発生した汚れた空気が吸い込み口から装置本体内に流入する際に、乱流となることで、イオンと油煙等の汚れた空気との接触確率が高まり、より確実に帯電させることができる。この帯電した油煙等が装置本体内の電界の発生が可能な集塵手段を通過する際に、帯電粒子がクーロン力を受け捕集することができる。
【００１５】
そして、イオン発生手段を通る空気は、集塵手段や脱臭手段により汚れた空気を浄化した空気であるため、イオン発生手段への汚れの付着が少なくなり、洗浄を行うメンテナンスの頻度を少なくできるという効果を奏する。
【００１６】
また、従来の電気集塵装置のような、コロナ放電を発生させ、粒子を帯電させる帯電部を装置本体内に設ける必要がなく、さらにＩＨ調理器の上部空間においてイオンにより油煙等を帯電させるため、帯電部を装置内に設け、そこで油煙等を帯電させるスペースを省くことが出来るため、装置を小型にできるという効果を奏する。
【００１７】
また、吹き出し口を、吸い込み口の周囲外側に設ける構成にしてもよい。これにより、吹き出し風がエアカーテン効果を発揮し、ＩＨ調理器での調理により発生した油煙、水蒸気、臭気等の周囲への漏れを防ぐことができ、それらをより確実に空気処理装置へ流入させることができるという効果を奏する。
【００１８】
また、吹き出し口からイオン発生手段によって発生したイオンを含む空気と含まない空気を吹き出し、イオンを含む空気を吸い込み口側から吹き出す構成にしてもよい。これにより、イオンを含まない空気がエアカーテン効果を発揮し、イオンがＩＨ調理器よりも外側へ漏れていくことを防ぐことができ、油煙等の帯電をより確実に行うことができ、空気処理装置の油煙除去性能を向上させることができるという効果を奏する。
【００１９】
また、空気処理装置の上部からイオン発生手段によって発生したイオンを含まない空気を室内に吹き出す構成にしてもよい。これにより、処理空気の一部が空気処理装置の上部から吹き出すことで、吸い込み口周囲の吹き出し口からの風量が減り、ＩＨ調理器での調理者に与える冷風感を軽減させることができるという効果を奏する。
【００２０】
また、イオン発生手段は、放電電極と対向電極に高電圧を印加してコロナ放電を発生させるものであって、前記放電電極は針状電極であり、前記対向電極は平板状で、前記放電電極の略垂直方向に離間配置され、前記放電電極は前記対向電極の平板状の平面をこの平面の側面視で貫通し、その先端を突出させ、前記放電電極の先端が突出した側の、前記対向電極の表面が、半導電性を有する構成にしてもよい。
【００２１】
これにより、放電極と対向電極の間でスパークが発生することがなくなるため、両電極間距離を縮めることができ、その結果、低い電圧でもイオンを発生させることができる。よって、イオンを発生するのに必要なエネルギーを小さくすることができ、油などの可燃性物質を含む空気の処理において有効である。
【００２２】
また従来の帯電部は、コロナ放電を発生させ、そこを通過した粒子が帯電される原理であるため、コロナ放電の発生と帯電に必要な空間を帯電部内に設ける必要があった。しかし、イオン発生手段を上記構成にし、ＩＨ調理器上部空間に吹き出すことで、その空間で油煙等を帯電させるため、イオン発生手段に油煙等を帯電させる空間を備える必要がないため、従来の帯電部より小型にすることができる。
【００２３】
また、イオン発生手段の上流側に空気中の浮遊物質を除去するフィルタを備えた構成にしてもよい。これにより、イオン発生手段が汚れるのをより確実に防止することができ、メンテナンス頻度を低減できるという効果を奏する。
【００２４】
また、イオン発生手段によって発生したイオンを含む空気の一部を、空気処置装置内の集塵手段の上流側に放出する構成にしてもよい。これにより、集塵手段近傍にイオンが充満し、油煙等がより確実に帯電し集塵手段における捕集性能が向上するという効果を奏する。
【００２５】
以下、本発明の実施の形態について図面を参照しながら説明する。
【００２６】
（実施の形態１）
以下、本発明の実施の形態について、図面を参照しながら説明する。
【００２７】
図１に本発明における空気処理装置の斜視図を示す。図１に示す空気処理装置は、その下面に吸い込み口１と吹き出し口Ａ２と吹き出し口Ｂ３があり、吸い込み口１より吸い込んだ空気は吹き出し口Ａ２と吹き出し口Ｂ３より吹き出す。従来からあるレンジフードのように、屋外への排気は行っておらず、屋内で循環するタイプである。吹き出し口Ａ２と吹き出し口Ｂ３は、図１のように空気処理装置の下部で下向きに有した開口が、三辺につながった形状となっている。
【００２８】
図２は空気処理装置正面の断面図、図３は同側面の断面図であり、いずれも送風手段の中心を通る断面図である。空気処理装置の本体内には、吸い込み口１から吹き出し口までの連通する送風経路内に、集塵手段５と脱臭手段６と送風手段７とイオン発生手段８を配置している。集塵手段５と脱臭手段６は仕切板９によって囲まれた内側に配置し、仕切板９の上部には開口がありその開口と送風手段７の流入側が接続されている。
【００２９】
送風手段７から吹き出す空気は、吹き出し口Ａ２と吹き出し口Ｂ３につながる通風路１０を通り、途中吹き出し口Ａ２と吹き出し口Ｂ３それぞれに分かれるように、通風路１０内に分岐板１１がある。分岐板１１により分岐された吹き出し口Ａ２につながる通風路１０内に、イオン発生手段８を設け、吹き出し口Ａ２からイオンが吹き出すようにしている。イオン発生手段８は、吹き出し口Ａ２から吹き出した空気のイオン濃度に出来る限り偏りがないように、吹き出し口Ａ２につながる通風路１０内に略等間隔で８個配置している。
【００３０】
図４に示すように、本実施の形態における空気処理装置は従来からあるレンジフードのように、ＩＨ調理器１４の上に設置するタイプである。イオン発生手段８により発生させたイオンを図４の白矢印のごとく吹き出し口Ａ２より吹き出しており、ＩＨ調理器１４の上部にはイオンが充満する。吹き出し口Ｂ３は吸い込み口１よりも吹き出し口Ａ２の外側から吹き出しておりイオンは含んでいない。この吹き出し口Ｂ３の吹き出し風がもたらすエアカーテン効果によって、吹き出し口Ａ２から吹き出したイオンは周囲に漏れにくくなり、ＩＨ調理器１４の上部に充満しやすくなる。さらに、吹き出し口Ａ２または吹き出し口Ｂ３より吹き出す風が、エアカーテン効果を発揮し、調理で発生した油煙等が外部へ漏れるのを防ぐ効果もある。
【００３１】
ＩＨ調理器１４と空気処理装置の間の空間でイオンと油煙等が接触することで、油煙等が帯電する。図４に示している黒丸が油煙などの捕集対象粒子を表しており、白丸に「−」記号で表したものはイオンを表している。
【００３２】
そして、ＩＨ調理器１４の上に存在する油煙等やイオンは吸い込み口１へ吸い寄せられるが、この時油煙等の濃度やイオンの濃度が、一ヶ所に集まってくるため高くなる。このことで、油煙等とイオンの接触確率がさらに高まり、油煙等の帯電を確実に行うことができる。本空気処理装置は、風量が４２０ｍ3／ｈ、吸い込み口１の開口面積が０．０５９４ｍ2であり、風量に対して開口面積が小さく、レイノルズ数が２０００を超えるため、吸い込み口１付近では乱流となっている。この乱流によっても、イオンと油煙等の接触確率が高まり、油煙等の帯電をより確実に実現させることができる。
【００３３】
帯電した油煙等は図４の黒矢印のごとく吸い込み口１より空気処理装置内に流入する。吸い込み口１には図２に示すプレフィルタ１２を備えており、大きなゴミなどはここで取り除かれる。一部の油煙等がプレフィルタ１２に接触し、ここで捕集されるものもある。プレフィルタ１２で捕集されなかった油煙等は、集塵手段５を通過する際に、クーロン力を受け、帯電した油煙や塵・埃などの粉塵等はここでほとんど捕集される。
【００３４】
その後、脱臭手段６で臭気を取り除き、送風手段７を通過し、通風路１０を通ってイオン発生手段８によりイオンが供給され、吹き出し口Ａ２より、油煙等が除去されてきれいになった空気とイオンが混合された状態で吹き出す。同時に吹き出し口Ｂ３からはイオン発生手段８によって発生したイオンを含まない浄化された空気が吹き出す。これら一連の循環を繰り返し、屋外へ排気することなく、調理時に発生した油煙等を浄化し、室内を正常状態に保つことが出来る。このため、室内の空調負荷を低減させることができる。
【００３５】
なお本実施の形態では、図１に示すように吹き出し口が吹き出し口Ａ２と吹き出し口Ｂ３とさらに吹き出し口Ｃ４に分かれている。吹き出し口Ａ２と吹き出し口Ｂ３は吸い込み口１と略同様の面にあり、吹き出し口Ｃ４は空気処理装置の上部にある。吹き出し口Ａ２につながる通風路１０内にイオン発生手段８を備えており、吹き出し口Ａ２からは、イオンを含む浄化された空気が吹き出す。吹き出し口Ｂ３と吹き出し口Ｃ４からは、イオンを含まない浄化された空気が吹き出す。吹き出し口Ａ２は吹出し口Ｂよりも吸い込み口１側に存在する。これは、吹き出し口Ｂ３から吹き出す空気がエアカーテン効果を発揮することで、イオンを含む空気がＩＨ調理器１４よりも外側に漏れることを防ぐためである。なお、吹き出し口Ｃ４にあるルーバー１３は手動で動作可能となっており、ルーバー１３を動かすことで、吹き出し口Ｃ４から空気を吹き出さないようにすることも出来る。吹き出し口Ａ２と吹き出し口Ｂ３から吹き出す風によって、調理をしている者が冷風感を感じる場合に、吹き出し口Ｃ４を開け、吹き出し口Ａ２と吹き出し口Ｂ３から吹き出し風を減らし冷風感を軽減することができる。
【００３６】
次に空気処理装置内の各デバイスについて詳細を以下に示す。
【００３７】
イオン発生手段８は、図５、図６に示すように絶縁性基板１５と、絶縁性基板１５の放電電極１６先端側の表面に設けた半導電部１８とからなる対向電極１７と、この半導電部１８の外周縁に設けた導電部３０と、絶縁性基板１５の円形の孔部３１を貫通して配置された放電電極１６と、支持部材１９と、導電部３０の電源接続部Ａ２７と、放電電極１６と電気的に接続された電源接続部Ｂ２８に電位差を発生させるために接続する図示しない電源部とから形成している。
【００３８】
なお、孔部３１を設けなくても、例えば絶縁性基板１５が半分の大きさで半円の切欠を有する形状でも、イオン量を増やすことは可能である。特許文献（特開２００４−１８３４８号公報）に記載のように、針電極とアース電極を平行に配置した場合、コロナ放電領域は、針電極とからアース電極側に偏って生成するため、放電領域が小さくなる。一方、本実施の形態のように、放電電極１６と半導電部１８を略垂直方向に対向配置した場合、針からみて円錐状に広がりを持ったコロナ放電領域が形成されるため、コロナ放電領域の範囲が広がり、より多くの活性種を発生させることができる。孔部３１を設けた場合には、孔部３１の端面に向かってコロナ放電が発生するため、孔部３１の直径を変えることによってコロナ放電の広がり方を変化させることができる。
【００３９】
支持部材１９は、対向電極１７を両面から挟み込むように固定する固定蓋２０と台座２１、および放電電極１６を固定する底板２９で構成され、図５に示す分解した部材を組立てると、図６のような全側面の一部を開口した筒形状となる構成であり、支持部材１９内部に放電電極１６と対向電極１７を設けている。
【００４０】
このイオン発生手段８は、支持部材１９を介して図２に示す仕切板９に固定されている。
【００４１】
図６に示すように、イオン発生手段８用の電源部（図示せず）は−３．５ｋＶの電圧を出力できるものであり、高電圧側を電源接続部Ｂ２８へ接続し、電源接続部Ａ２７は電源部のアース側と接続することで、放電電極１６と対向電極１７間に電位差が発生し、放電電極１６の先端に電界が集中し、その付近の空気が絶縁破壊を起こすことで、コロナ放電が発生しイオンが放出される。
【００４２】
なお、イオン発生手段は本実施の形態のように平板状ではなく、針状や釘の頭のような形状のものなどでもよいが、半導電部１８とからなる対向電極１７を用いた上述の構成にすることにより、放電電極１６と対向電極１７の距離を近づけてもスパークの発生がないため、イオン発生手段はより小型化することが出来る。
【００４３】
集塵手段５は、図７に示すように、荷電極板２２と接地極板２３とが一定の距離をおいて、交互に複数配置された構成となっている。荷電極板２２と接地極板２３とには両電極間で電位差が発生するように、碍子２４によって電気的に絶縁されており、図示しない高圧電源を用いて、電位差を発生させる。
【００４４】
本実施の形態では、荷電極板２２に高圧電源の高電圧側を接続し、接地極板２３はアースと接続することで、電位差を発生させている。
【００４５】
また、本実施の形態では、接地極板２３は導電性のあるステンレスを用いている。なお、導電性であれば他の金属材料でもよく、例えばアルミや鋼板などでもよい。
【００４６】
荷電極板２２は、接地極板２３と同様の材質でも良いが、本実施の形態では、油煙等の捕集性能を高めるために、両電極間の電界強度を高めることができるように、表面抵抗率が１０7〜１０13Ω／□となる半導電性の材料を用いている。具体的には、セラミック繊維を薄く紙状にした材料を用いている。この材料は、セラミック繊維の表面に空気中の水分が吸着することで、表面抵抗率が上述の範囲内になっている。
【００４７】
なお、これに限らず、絶縁性の板状の樹脂の表面に、半導電性のインクなどを塗布する方法でもよい。つまり、表面抵抗率が上述した範囲内に入るものであればよい。これにより、電界強度を高めても両電極間でスパークすることがなく、電界強度を高くすることで、捕集性能を向上させることができる。本実施の形態では、両電極間の距離を３ｍｍにし、荷電極板２２に印加する電圧を−６ｋＶとすることで、電界強度は２ｋＶ／ｍｍとなっている。
【００４８】
脱臭手段６は、活性炭を使用し、格子状の樹脂の基材に粒状にした活性炭を接着させている。これを複数積層し構成している。空気は格子の隙間を流れることができ、そこを通過する際に、近傍にある活性炭に臭気が吸着し、臭いを除去することが出来る。なお、脱臭手段は活性炭に限らず、光触媒などの触媒を使用したものや、オゾンを使用したものなどでもよい。
【００４９】
送風手段７は、仕切板９に固定され、羽根車の種類をターボ式とすることで、送風手段７の下部から仕切板９に開けられた穴を通り、羽根車内に入り、羽根車の周囲に空気を吹き出す構成としている。通風路１０は図２および図３から分かるとおり、空気処理装置の左右と奥側の面に沿っており、吹き出し口Ａ２と吹き出し口Ｂ３へとつながっている。送風手段７としてこのターボファンを使用することで、これら３面の通風路１０と吹き出し口Ｃ４にムラなく空気を流すことができる。
【００５０】
なお、送風手段の位置は、集塵手段の上流側に設置してもよく、シロッコファンを採用してもよい。
【００５１】
以上のように構成することで、従来の電気集塵装置で使用されていた、粉塵を帯電させるための、コロナ放電を発生させる帯電部が必要なくなり、その代わりに小型のイオン発生手段８からイオンを放出し、ＩＨ調理器１４の上部空間で粉塵（油煙等）を帯電させるため、空気処理装置を小型化できる。
【００５２】
また、従来の電気集塵装置では、汚れた空気を帯電部に通すことで、粉塵を帯電させているが、汚れた空気が帯電部に入ってくるため、コロナ放電を発生させる電極に汚れが付着し、帯電性能が低下するため、頻繁に汚れを除去するメンテンナンスが必要であった。しかし、本発明の構成においては、帯電させるためのイオン発生手段８を通過する空気は、既に汚れを除去した清浄空気が通過するため、イオン発生手段８の電極（放電電極１６や対向電極１７）は長期間清浄状態で保たれるため、汚れの付着によりイオンを発生させる機能の低下は起こりにくい。つまり、メンテナンス頻度を少なくすることができる。
【００５３】
なお、本実施の形態では、イオン発生手段８の放電電極１６に−３．５ｋＶの電圧を印加しており、発生するイオンはマイナスイオンである。よって、油煙等はマイナスに帯電する。
【００５４】
集塵手段５の荷電極板２２には−６ｋＶが印加されているため、マイナスに帯電した油煙等は、荷電極板２２と接地極板２３との間で発生する電界によって、クーロン力を受け、接地極板２３側に引き寄せられることで、油煙等を捕集する。
【００５５】
発生させるイオンはプラスイオンでもよく、その際は放電電極１６にプラス極性の電圧を印加する。集塵手段５の荷電極板２２に印加する電圧の極性はどちらでもよい。イオンの極性とは相対的に逆の極性側の電極板に捕集されるためである。
【００５６】
本実施の形態の空気処理装置は、ＩＨ調理器１４の上部に設置するタイプであるが、ＩＨ調理器１４の下部に設置してもよい。その場合、ＩＨ調理器１４の天面と略同面に吹き出し口があり、そこからイオンを含む空気が略上向きに吹き出す。ＩＨ調理器１４の上部でイオンと油煙等が接触するのは実施の形態１のように空気処理装置を上部に設置した場合と同様で、帯電した油煙等がＩＨ調理器１４の奥側にある吸い込み口１から吸い込まれ、ＩＨ調理器１４の下部にある空気処理装置内の送風手段７によって、集塵手段５、脱臭手段６の順に通って、油煙等の捕集と、臭気の除去が行われ、再び清浄空気とともにイオンがＩＨ調理器１４の上部へ向かって吹き出すこととなる。
【００５７】
（実施の形態２）
図８は本実施の形態を表す正面断面図である。実施の形態１と同構成の部分は説明を省略する。
【００５８】
図８に示すように、通風路１０において、吹き出し口Ａ２と吹き出し口Ｂ３に分けるための分岐板１１の吹き出し口Ａ２側の通風路１０内に配置されたイオン発生手段８の上流側にエアフィルタ２５と、イオン発生手段８の下流側の仕切板９にその内部に連通するイオン供給穴２６がある。
【００５９】
エアフィルタ２５は、プレフィルタ１２や集塵手段５で捕集しきれなかった、油煙等を機械的に捕集するものである。これにより、イオン発生手段８の放電電極１６や対向電極１７が汚れるのを確実に防ぐことができるため、イオン発生手段８のメンテナンス頻度をより少なくすることができる。
【００６０】
イオン供給穴２６は、イオン発生手段８によって発生したイオンの一部を、仕切板９を通って、集塵手段５の上流側へ放出し、集塵手段５の手前でより確実に油煙等を帯電させることができる。
【産業上の利用可能性】
【００６１】
本発明にかかる空気処理装置は、空気処理装置の小型化とメンテナンス頻度の低減化を可能とするものであるので、厨房等で調理の際に発生する油煙や水蒸気等の除去に使用される空気処理装置等として有用である。
【符号の説明】
【００６２】
１  吸い込み口
２  吹き出し口Ａ
３  吹き出し口Ｂ
４  吹き出し口Ｃ
５  集塵手段
６  脱臭手段
７  送風手段
８  イオン発生手段
９  仕切板
１０  通風路
１１  分岐板
１２  プレフィルタ
１３  ルーバー
１４  ＩＨ調理器
１５  絶縁性基板
１６  放電電極
１７  対向電極
１８  半導電部
１９  支持部材
２０  固定蓋
２１  台座
２２  荷電極板
２３  接地極板
２４  碍子
２５  エアフィルタ
２６  イオン供給穴
２７  電源接続部Ａ
２８  電源接続部Ｂ
２９  底板
３０  導電部
３１  孔部
【図１】
2014024017.tif 000003
【図２】
2014024017.tif 000004
【図３】
2014024017.tif 000005
【図４】
2014024017.tif 000006
【図５】
2014024017.tif 000007
【図６】
2014024017.tif 000008
【図７】
2014024017.tif 000009
【図８】
2014024017.tif 000010